(57)【要約】【課題】信号変換モジュールの取付け及び取り外しが簡単で、外形が小さくコストの安い信号変換器を提供する。【解決手段】フック１１ｂが係合開口部３０ａ，３０ｂに係合することにより、信号変換モジュール１が収容部２４に取り付けられる。一方、フック調整部１１ａをケース１ａの内部側に押し込むように加圧すると、フック１１ｂがケース１ａの内部側に押し込められて、フック１１ｂが係合開口部３０ａ，３０ｂから外れる。この状態で信号変換モジュール１を上方に引き上げることにより、信号変換モジュール１が収容部２４から取り外される。【選択図】図５
2007132692.tif 000002
【特許請求の範囲】
【請求項１】
アナログ信号を入力するための入力端子を有し、入力されたアナログ信号を所定の電圧又は電流信号に変換するための信号変換モジュールを、収容部に複数備えた信号変換器において、
前記収容部は係合開口部を備え、
前記信号変換モジュールは、
弾性変形可能なフックと、
前記フックを弾性変形させるフック調整部と
を備え、
前記フックが前記係合開口部に係合することにより、前記信号変換モジュールが前記収容部に取り付けられ、
前記フック調整部が前記信号変換モジュールの外部側から内部側に向かって加圧されると、前記フックが前記信号変換モジュールの内部側に押し込められて前記係合開口部から外れることにより、前記信号変換モジュールが前記収容部から取り外されることを特徴とする信号変換器。
【請求項２】
前記複数の信号変換モジュールは、前記収容部に隣接して一列に配置され、
前記複数の信号変換モジュールのそれぞれは、隣接する信号変換モジュールに接する互いに対向した第１の側面及び第２の側面を有し、
前記第１の側面には、先端が末広がり状の形状を有する連結突起が設けられ、
前記第２の側面には、前記第２の側面上の間口が内部に比べて狭くなった連結溝が設けられ、
前記複数の信号変換モジュールのそれぞれは、前記連結突起を、隣接する信号変換モジュールの前記連結溝に係合させると共に、前記連結溝に、隣接する信号変換モジュールの前記連結突起を係合させることにより、隣接する信号変換モジュールに連結されることを特徴とする請求項１に記載の信号変換器。
【請求項３】
前記信号変換モジュールは、
一端が前記信号変換モジュールに接続されたリード線と、
前記リード線の他端に設けられたセンサー部と
を有するＲＪＣセンサーをさらに備え、
前記信号変換モジュールを前記収容部に取り付けた状態において、前記リード線は、
前記フック調整部の１ｃｍ以上上方の位置において前記信号変換モジュールに接続されていると共に、
前記センサー部を前記入力端子に接続したときに、前記リード線が前記フック調整部に接触しない長さに調整されている
ことを特徴とする請求項１または２に記載の信号変換器。
【発明の詳細な説明】
【技術分野】
【０００１】
この発明は信号変換器に係り、特に、主として工業用計測の分野で使用され、現場に設置された熱電対など各種センサーのアナログ信号を、所定の電圧又は電流信号に変換し、シーケンサやコンピュータなどの制御装置へ出力する信号変換器に関する。
【背景技術】
【０００２】
この種の信号変換器は一般に、各種センサーなどのアナログ信号を所定の電圧又は電流信号に変換するための信号変換モジュールと、アナログ信号を入力するための入力端子が配列された入力端子台と、コネクタを介して信号変換モジュールを取付け可能な取付けベースとから構成されている。
【０００３】
従来の信号変換器が特許文献１に開示されている。この信号変換器を図１０及び１１に示す。信号変換モジュール１００を取付けベース１０１に取付ける際には、信号変換モジュール１００に設けられた雄型コネクタ１０２を、取付けベース１０１に設けられた雌側コネクタ１０３に差し込んだ後、信号変換モジュール１００を貫通する止めネジ１０４によって、信号変換モジュール１００を取付けベース１０１に固定する。信号変換モジュール１００を取付けベース１０１から取り外す際には、まず止めネジ１０４を外し、その後信号変換モジュール１００を引き上げることにより、取付けベース１０１から引き抜く。
【０００４】
また、従来の他の信号変換器が特許文献２に開示されている。この信号変換器を図１２に示す。信号変換モジュール１１０を取付けベース１１１に取付ける際には、信号変換モジュール１１０を、取付けベース１１１に設けられた雌側コネクタ１１２に差し込んだ後、取付けベース１１１に設けられたフック１１３を、信号変換モジュール１１０に設けられた取付け埋め部１１４に係合させることにより固定する。信号変換モジュール１１０を取付けベース１１１から取り外す際には、まずフック１１３を外し、その後信号変換モジュール１１０を引き上げることにより取付けベース１１１から引き抜く。
また、熱電対などの温度センサーからの信号を変換する場合には、基準冷接点温度補償のためのＲＪＣセンサー１１５を、取付けベース１１１に設けられた入力端子１１６に固定して使用する。この時、ＲＪＣセンサー１１５は取付けベース１１１のみに固定されており、信号変換モジュール１１０と取付けベース１１１を分離させた図１２の状態では、ＲＪＣセンサー１１５と信号変換モジュール１１０とは完全に分離された状態となる。
【０００５】
【特許文献１】特開２００１−３２６０３８号公報
【特許文献２】特開平８−１６６２９４号公報
【発明の開示】
【発明が解決しようとする課題】
【０００６】
しかしながら、特許文献１の信号変換器は、信号変換モジュール１００を取付けベース１０１へ取付ける際及び取付けベース１０１から取り外す際には、止めネジ１０４の着け外し作業を行った後に、信号変換モジュール１００を取付けベース１０１から着脱する必要があり、最低２回の作業工程が必要となるため、作業が煩雑であるといった問題点があった。また、取付けネジが必要であり、部品を取付けるために外形が大きくなり、コストが高くなるという問題点もあった。
また、特許文献２の信号変換器は、フック１１３を取付け埋め部１１４に係合させることによって信号変換モジュール１１０を取付けベース１１１へ取付ける点では作業が簡単になっているが、信号変換モジュール１１０を取付けベース１１１から取り外す際には、取付け埋め部１１４からフック１１３を取り外す作業をした後に、信号変換モジュール１１０を取付けベース１１１から引き抜く作業をする点で、最低２回の作業工程が必要となるため、作業が煩雑であるといった問題点があった。
【０００７】
この発明はこのような問題点を解決するためになされたもので、信号変換モジュールの取付け及び取り外しが簡単で、外形が小さくコストの安い信号変換器を提供することを目的とする。
【課題を解決するための手段】
【０００８】
アナログ信号を入力するための入力端子を有し、入力されたアナログ信号を所定の電圧又は電流信号に変換するための信号変換モジュールを、収容部に複数備えた信号変換器において、前記収容部は係合開口部を備え、前記信号変換モジュールは、弾性変形可能なフックと、前記フックを弾性変形させるフック調整部とを備え、前記フックが前記係合開口部に係合することにより、前記信号変換モジュールが前記収容部に取り付けられ、前記フック調整部が前記信号変換モジュールの外部側から内部側に向かって加圧されると、前記フックが前記信号変換モジュールの内部側に押し込められて前記係合開口部から外れることにより、前記信号変換モジュールが前記収容部から取り外されることを特徴とする。
前記複数の信号変換モジュールは、前記収容部に隣接して一列に配置され、前記複数の信号変換モジュールのそれぞれは、隣接する信号変換モジュールに接する互いに対向した第１の側面及び第２の側面を有し、前記第１の側面には、先端が末広がり状の形状を有する連結突起が設けられ、前記第２の側面には、前記第２の側面上の間口が内部に比べて狭くなった連結溝が設けられ、前記複数の信号変換モジュールのそれぞれは、前記連結突起を、隣接する信号変換モジュールの前記連結溝に係合させると共に、前記連結溝に、隣接する信号変換モジュールの前記連結突起を係合させることにより、隣接する信号変換モジュールに連結されてもよい。
前記信号変換モジュールは、一端が前記信号変換モジュールに接続されたリード線と、前記リード線の他端に設けられたセンサー部とを有するＲＪＣセンサーをさらに備え、前記信号変換モジュールを前記収容部に取り付けた状態において、前記リード線は、前記フック調整部の１ｃｍ以上上方の位置において前記信号変換モジュールに接続されていると共に、前記センサー部を前記入力端子に接続したときに、前記リード線が前記フック調整部に接触しない長さに調整されてもよい。
【発明の効果】
【０００９】
この発明によれば、フックが係合開口部に係合することにより、信号変換モジュールが収容部に取り付けられ、フックが信号変換モジュールの内部側に押し込められて係合開口部から外れることにより、信号変換モジュールが収容部から取り外されるので、信号変換モジュールの取付け及び取り外しを、止めネジやフックの着け外し作業を行うことなく簡単に行うことができる。また、取付けネジなどの部品が不要のため、外形を小さくできると共にコストを安くすることができる。
【発明を実施するための最良の形態】
【００１０】
以下、この発明の実施の形態を添付図面に基づいて説明する。
実施の形態１．
図１に示されるように、信号変換器１０は、複数の信号変換モジュール１と、複数の信号変換モジュール１を取付け可能な取付けベース２とを備えている。また、取付けベース２には、複数の入力端子５が配列された入力端子台２１と出力アダプタ２２とが設けられている。
【００１１】
図２に示されるように、信号変換モジュール１の直方体形状の樹脂製のケース１ａには、信号変換モジュール１を収容部２４（図３参照）に取り付けるための係合手段１１が、ケース１ａの１つの面１ａ１に設けられている。係合手段１１は、面１ａ１に接続された一端からなだらかな傾斜面を有して面１ａ１から突出すると共に樹脂の弾性でケース１ａの内部側に向かって押し込み可能に構成されたフック調整部１１ａと、一端がフック調整部１１ａの他端に接続されると共に他端が返しの形状を有するフック１１ｂとから構成される。フック調整部１１ａをケース１ａの内部側に押し込むようにフック調整部１１ａを加圧すると、フック調整部１１ａと共にフック１１ｂもケース１１ｂの内部側に押し込まれ、フック調整部１１ａへの加圧を止めるとフック調整部１１ａと共にフック１１ｂが元の位置に戻るように、フック１１ｂは弾性変形するようになっている。尚、図２には、１つの係合手段１１のみが記載されているが、図示された係合手段１１が設けられた面１ａ１に対向する面１ａ２にも、同じ構造の係合手段１１が設けられている。また、面１ａ１上の係合手段１１付近には、面１ａ１から突出すると共に面１ａ１の長手方向に細長く延びる凸部１４が設けられ、面１ａ１及び１ａ２の１つの隅には、面１ａ１及び１ａ２の外縁に沿って細長く切り欠かれた凹部１３がそれぞれ設けられている。さらに、信号変換モジュール１を取付けベース２に取り付ける際に下面となる面１ａ３には、雄側コネクタ１２が設けられている。
【００１２】
図３（ａ）に示されるように、取付けベース２は、複数の信号変換モジュール１が隣接して一列に取付けられる収容部２４を備えている。収容部２４には、収容部２４の外縁に沿って収容部２４を取り囲むように形成された固定壁２５と、固定壁２５で囲まれた部分の底面２４ａに形成され、信号変換モジュール１の雄側コネクタ１２が挿入される複数の雌側コネクタ２９とが設けられている。図３（ｂ）に示されるように、固定壁２５には、係合手段１１のフック部１１ｂが係合する係合開口部３０ａ及び３０ｂが、それぞれの雌側コネクタ２９の長手方向の両側にそれぞれの雌側コネクタ２９を挟むように設けられている。また、固定壁２５には、信号変換モジュール１の取付け時に、２箇所の凹部１３と嵌めあいの関係となるリブ２６及び２７と、凸部１４と嵌めあいの関係となる溝２８とが設けられている。
【００１３】
図４に示されるように、信号変換モジュール１のケース１ａ内部には、図示しない信号変換回路を搭載したプリント基板１２１が格納されており、取付けベース２の内部には図示しない外部入出力用回路を搭載したプリント基板３１が格納されている。図５に示されるように、信号変換モジュール１を取付けベース２に取付けた状態では、信号変換モジュール１の雄側コネクタ１２と取付けベース２の雌側コネクタ２９とが接続されることにより、信号変換回路と外部入出力用回路が電気的に接続される構成となっている。
【００１４】
次に、信号変換モジュール１を収容部２４に取付ける方法及び信号変換モジュール１を収容部２４から取り外す方法を説明する。
信号変換モジュール１を収容部２４に取付ける際には、信号変換モジュール１の２つの凹部１３と１つの凸部１４とをそれぞれ、収容部２４の取付けベース２のリブ２６及び２７と溝２８との位置にあわせて挿入する。このとき、信号変換モジュール１のフック１１ｂは、挿入時において、固定壁２５から受ける圧力によりケース１ａの内部側に押し込まれるように弾性変形する。図５に示されるように、雄側コネクタ１２と雌側コネクタ２３とが完全に接続された時点でフック１１ｂがもとの位置に戻ることにより、フック１１ｂが係合開口部３０ａ，３０ｂに係合する。これにより、信号変換モジュール１は、収容部２４から抜け止めがなされた状態で保持されるようになる。すなわち、雄側コネクタ１２と雌側コネクタ２３とが接続するように信号変換モジュール１を収容部２４に押し込むだけで、信号変換モジュール１が収容部２４に取り付けられる。
【００１５】
信号変換モジュール１を収容部２４から取り外す際には、信号変換モジュール１の２つのフック調整部１１ａを指で挟み込んで加圧するように操作してケース１ａの内部側に押し込むことにより、２つのフック１１ｂがケース１ａの内部側に押し込まれるように弾性変形する。すると、フック１１ｂは係合開口部３０ａ，３０ｂから外れた状態となり、そのままの状態で信号変換モジュール１を上方に引き上げることにより、信号変換モジュール１が収容部２４から取り外される（図４）。すなわち、２つのフック調整部１１ａを指で挟み込んでフック調整部１１ａを加圧しながら信号変換モジュール１を上方に引き上げるだけで、信号変換モジュール１が収容部２４から取り外される。
【００１６】
このように、フック１１ｂが係合開口部３０ａ，３０ｂに係合することにより、信号変換モジュール１が収容部２４に取り付けられ、また、フック調整部１１ａがケース１ａの外部側から内部側に向かって加圧されると、フック１１ｂがケース１ａの内部側に押し込められて、係合開口部３０ａ，３０ｂから外れるので、信号変換モジュール１を簡単に収容部２４に取り付けられると共に簡単に収容部２４から取り外すことができる。さらに、取付けネジなどの部品が不要のため、外形を小さくできると共にコストを安くすることができる。
【００１７】
尚、実施の形態１において、フック１１ｂがケース１ａの内部側に押し込まれると記載しているが、フック１１ｂがケース１ａの内部に完全に押し込まれることを意味しているのではなく、フック１１ｂが係合開口部３０ａ，３０ｂから外れる程度にケース１ａの内部側に向かって押し込まれればよい。
【００１８】
実施の形態２．
次に、この発明の実施の形態２に係る信号変換器について説明する。尚、以下の実施の形態において、図１〜５の参照符号と同一の符号は、同一又は同様な構成要素であるので、その詳細な説明は省略する。
この発明の実施の形態２に係る信号変換器は、実施の形態１に対して、隣接する信号変換モジュール同士を連結するようにしたものである。
図６に示されるように、信号変換モジュール４０は、図示しない隣接する信号変換モジュールに接する２つの面のうちの一方の面である第１の側面４０ａ１の上部に、台形の断面形状を有する連結突起４６が設けられている。連結突起４６は、第１の側面４０ａ１との接続部分から末広がり状の形状を有するように、第１の側面４０ａ１から離れるように延びている。尚、連結突起４６の端面は面取り処理が施されている。もう一方の面である第２の側面４０ａ２の上部には、他の信号変換モジュール４０の連結突起４６を収容する連結溝４７が設けられている。連結溝４７の断面は、連結突起４６の断面と同様に台形で、第２の側面４０ａ２上の間口４７ａが内部に比べて狭くなっている。その他の構成は、実施の形態１と同じである。
【００１９】
実施の形態１と同様にして、複数の信号変換モジュール４０を収容部２４に取り付ける際に、連結突起４６を、隣接する信号変換モジュール４０の連結溝４７に係合させる。ここで、連結突起４６の端面は面取り処理が施されているので、比較的弱い圧力で連結突起４６を連結溝４７に係合させることができる。したがって、隣接する信号モジュール４０に連結させるための特別の動作が不要であるため、信号変換モジュール４０を収容部２４に取り付ける際の動作を煩雑にすることはない。これにより、収容部２４に取付けられた複数の信号変換モジュール４０は、図７に示されるように、隣接する信号変換モジュール４０同士が連結される。尚、図７には、隣接する３個の信号変換モジュール４０のみを記載している。
【００２０】
このように、隣接する信号変換モジュール４０を、連結突起４６及び連結溝４７によって連結したので、振動などに対してより強固な構造にすることができる。
また、信号変換モジュール４０を収容部２４に取り付ける際に、取付けが不十分な場合には、隣接する信号変換モジュール４０同士の連結を完全に行えないため、不完全な取付けミスを防止することができる。
【００２１】
実施の形態３．
この発明の実施の形態３に係る信号変換器は、実施の形態１に対して、信号変換モジュールがＲＪＣセンサーをさらに備えたものである。
図８に示されるように、信号変換モジュール５０は、一端が信号変換モジュール５０に接続されたリード線５１と、リード線５１の他端に接続されたセンサー部５２とを有するＲＪＣセンサー５３を備えている。センサー部５２は、図示しない温度センサーが格納された温度センサー部５２ａと、入力端子５に締め付け可能な丸穴端子５２ｂを有する。また、リード線５１は、信号変換モジュール５０の図示しない信号変換回路を搭載したプリント基板１２１（図４及び５参照）と電気的に接続された状態で固定されている。リード線５１の一端はフック調整部１１ａの１ｃｍ以上上方の位置で信号変換モジュール５０に接続され、入力端子５に丸穴端子５２ｂをネジで締め付けた状態（図９）で、リード線５１がフック調整部１１ａに接しないように、リード線５１が適切な長さとなるように設定されている。これにより、フック調整部１１ａとリード線５１との間には指が挿入するのに十分なスペースが確保されるので、信号変換モジュール５０のフック調整部１１ａを指で挟み込む場合に操作の邪魔にならないようにすることができる。
【００２２】
また、信号変換モジュール５０は、生産工場出荷時に図９の状態で、信号変換モジュール５０の上面に搭載された校正用トリマ１５（図１参照）を操作することにより校正される。このとき、信号変換モジュール５０の図示しない信号変換回路とＲＪＣセンサー５３とは１対で校正され、出荷後に客先で設置される場合も信号変換モジュール５０とＲＪＣセンサー５３とは分離されない。これにより、出荷時の校正条件と同じ条件で設置することができ、配線作業時に信号変換モジュール５０とＲＪＣセンサー５３との組合せが異なる場合に生じる誤差を防止することができる。
【図面の簡単な説明】
【００２３】
【図１】この発明の実施の形態１に係る信号変換器の斜視図である。
【図２】実施の形態１に係る信号変換器に取り付けられる信号変換モジュールの斜視図である。
【図３】実施の形態１に係る信号変換器の取付けベースの斜視図及び平面図である。
【図４】実施の形態１に係る信号変換器において、信号変換モジュールと取付けベースとが分離した状態を示す側方断面図である。
【図５】実施の形態１に係る信号変換器において、取付けベースに信号変換モジュールを接続した状態を示す側方断面図である。
【図６】実施の形態２に係る信号変換器に取り付けられる信号変換モジュールの斜視図である。
【図７】実施の形態２に係る信号変換器に取り付けられる複数の信号変換モジュールを連結させた状態を示す平面図である。
【図８】実施の形態３に係る信号変換器に取り付けられる信号変換モジュールの側面図である。
【図９】実施の形態３に係る信号変換器において、信号変換モジュールを取付けベースに接続した状態を示す側面図である。
【図１０】従来の信号変換器の斜視図である。
【図１１】従来の信号変換器に取り付けられる信号変換モジュールの底面図である。
【図１２】従来の別の信号変換器の斜視図である。
【符号の説明】
【００２４】
１，４０，５０  信号変換モジュール、２  取付けベース、５  入力端子、１０  信号変換器、１１ａ  フック調整部、１１ｂ  フック、２４  収容部、２５  固定壁、３０ａ，３０ｂ  係合開口部、４０ａ１  第１の側面、４０ａ２  第２の側面、４６  連結突起、４７  連結溝、４７ａ  （連結溝）の間口、５１  リード線、５２  センサー部、５３  ＲＪＣセンサー。
【図１】
2007132692.tif 000003
【図２】
2007132692.tif 000004
【図３】
2007132692.tif 000005
【図４】
2007132692.tif 000006
【図５】
2007132692.tif 000007
【図６】
2007132692.tif 000008
【図７】
2007132692.tif 000009
【図８】
2007132692.tif 000010
【図９】
2007132692.tif 000011
【図１０】
2007132692.tif 000012
【図１１】
2007132692.tif 000013
【図１２】
2007132692.tif 000014